(57)【特許請求の範囲】
【請求項１】
軒先の鼻板前面に取着固定される鼻隠し板本体の、上部前側に軒樋を吊り下げ保持する樋支持具が係合位置決めされて取着固定される取付レール部を長手方向にわたり一体に形成し、同鼻隠し板本体の下端に軒天井と略面一高さで連続するカバー片部を前方へ一体に突出形成し、該カバー片部の上側で前記軒樋の後壁部に当接する振れ止め片部を同鼻隠し板本体に前方へ一体に突出形成し、同鼻隠し板本体を鼻板前面に取着固定して、前記樋支持具に吊り下げ保持される軒樋の底部と前記鼻隠し板本体の下端に突出形成したカバー片部とが略面一高さで連続するようになした軒先樋支持構造であって、前記取付レール部を断面略Ｌ型の上側片と下側片とが向き合う区画された溝状に形成して、該取付レール部に樋支持具の後端取着部が長手方向スライド自在に係止されるようになし、さらに該カバー片部の上側に間隔をあけて前記軒樋の後壁部に当接する振れ止め片部を同鼻隠し板本体に前方へ一体に突出形成するとともに上面を前下方へ傾斜させて形成し、さらに該振れ止め片部の前端縁には下方へ折曲した凸片が垂下延設されており、前記カバー片部が同振れ止め片部よりも前方へ長く突出形成されていることを特徴とする軒先樋支持構造。
【請求項２】
カバー片部の下面に水切り凸条を突出形成したことを特徴とする請求１記載の軒先樋支持構造。
【請求項３】
鼻隠し板本体の下端に軒天井の前角部下面に当接係止する係合片部を後方へ一体に突出形成したことを特徴とする請求項１又は２記載の軒先樋支持構造。
【発明の詳細な説明】
【０００１】
【発明の属する技術分野】
本発明は、軒先において鼻板と軒樋との間の隙間が下方から見えないように覆い隠される軒先樋支持構造に関するものである。
【０００２】
【従来の技術】
従来から、図１０に示す如く、軒先において鼻板１と軒樋３との間の隙間が下方から見えないように覆い隠した軒先樋支持構造は知られている。この場合、軒先の鼻板１前面にカバー部材３１を取着固定し、該カバー部材３１の下端にはカバー片部７が前方へ一体に突出形成されていて、該カバー片部７で同鼻板１と軒樋３との間の隙間を塞ぐものであった。
【０００３】
又、軒先の鼻板１前面には樋支持具４の後端取着部２６が取着固定され、該樋支持具４には軒樋３が吊り下げ保持されている。ここでは、軒樋３が前壁部１９と底部１０と後壁部８とで角型状に形成され、同前壁部１９及び後壁部８の上端部分には各々中空形状の耳部２１が形成されている。そして、軒樋３の前後の耳部２１を係止する保持部２２が樋支持具４の前後に配設されており、該両保持部２２に両耳部２１を各々係止させることで、同樋支持具４に軒樋３は吊り下げ保持されている。
【０００４】
したがって、該軒先樋支持構造においては、カバー部材３１のカバー片部７によって、鼻板１と軒樋３との間の隙間が、該隙間内に存在する同軒樋３の後側の耳部２１及び該耳部２１を係止保持する樋支持具４等と共に、下方から見えないように塞がれて覆い隠され、軒先の納まり外観は良好なものとなる。又、カバー片部７がその前後の軒樋３の底部１０及び軒天井６と略面一高さで連続するように、カバー部材３１を鼻板１前面に取り付けると共に、樋支持具４に吊り下げ保持される同軒樋３を配置することによって、軒先下面側の外観は段差のない一体感を有するものとなる。
【０００５】
【発明が解決しようとする課題】
しかしながら、上記従来の技術にあっては、軒樋３が樋支持具４を介して鼻板１の前面にカバー部材３１とは別途に取着固定されるものであるため、カバー片部７と同軒樋３の底部１０とを略面一高さで連続させようとする際に、同樋支持具４の取付高さを同カバー部材３１との相互位置関係を考慮して正確に設定しなければならず、取付施工に精度と手間とを必要とし困難な作業を伴うという問題があった。
【０００６】
又、カバー片部７と軒樋３の底部１０とが略面一高さで連続するように配置施工しても、樋支持具４に保持される該軒樋３は風や雨等の外力で振れ動いて安定した保持状態とならず、軒先下側の同略面一状で段差のない一体感を有する納まり良い外観に支障を来すという問題があった。
【０００７】
本発明は、上記従来の技術における問題を悉く解決するために発明されたもので、その課題は、簡単な施工で良好な納まり外観が得られる軒先樋支持構造を提供することである。
【０００８】
【課題を解決するための手段】
本発明の請求項１記載の軒先樋支持構造は、軒先の鼻板前面に取着固定される鼻隠し板本体の、上部前側に軒樋を吊り下げ保持する樋支持具が係合位置決めされて取着固定される取付レール部を長手方向にわたり一体に形成し、同鼻隠し板本体の下端に軒天井と略面一高さで連続するカバー片部を前方へ一体に突出形成し、該カバー片部の上側で前記軒樋の後壁部に当接する振れ止め片部を同鼻隠し板本体に前方へ一体に突出形成し、同鼻隠し板本体を鼻板前面に取着固定して、前記樋支持具に吊り下げ保持される軒樋の底部と前記鼻隠し板本体の下端に突出形成したカバー片部とが略面一高さで連続するようになすとともに、前記取付レール部を断面略Ｌ型の上側片と下側片とが向き合う区画された溝状に形成して、該取付レール部に樋支持具の後端取着部が長手方向スライド自在に係止されるようになし、さらに該カバー片部の上側に間隔をあけて前記軒樋の後壁部に当接する振れ止め片部を同鼻隠し板本体に前方へ一体に突出形成するとともに上面を前下方へ傾斜させて形成し、さらに該振れ止め片部の前端縁には下方へ折曲した凸片が垂下延設されており、前記カバー片部が同振れ止め片部よりも前方へ長く突出形成されている。
【０００９】
したがって、この場合、鼻隠し板本体の下端に前方へ突出形成されたカバー片部によって、鼻板と軒樋との間の隙間が樋支持具と共に下方から見えないように塞がれて覆い隠され、軒先の納まり外観は良好なものとなる。しかも、鼻隠し板本体の上部前側に取付レール部が長手方向にわたり一体に形成されており、該取付レール部にはその適宜位置に樋支持具を係合位置決めさせて取着固定することができるため、該樋支持具に吊り下げ保持される軒樋の高さは前記カバー片部との相互位置関係で容易且つ正確に決定される。
【００１０】
それ故、樋支持具に吊り下げ保持される軒樋の底部と鼻隠し板本体のカバー片部とが略面一高さで連続するように施工する際、その取付作業は手間を要さず簡単で精度の良いものとなる。そして、カバー片部がその前後の軒樋の底部及び軒天井と略面一高さで連続するようになり、軒先下面側の外観は段差のない一体感を有するものとなる。
【００１１】
しかも、カバー片部の上側で鼻隠し板本体に前方へ一体に突出形成された振れ止め片部が軒樋の後壁部に当接することで、風や雨等の外力による同軒樋の振れ動きや外れは確実に防止され、該軒樋が安定状態で保持されて、その底部と鼻隠し板本体のカバー片部及び軒天井とが略面一状となった前記段差のない一体感を有する納まり良い外観に支障を来すことはない。
【００１２】
さらに、取付レール部に樋支持具の後端取着部が長手方向スライド自在に係止されるため、該樋支持具をスライドさせることによってその水平方向の取付位置調整は容易に行われ、しかも、同後端取着部が取付レール部に係止された樋支持具は鼻隠し板本体に対して確実に取着固定される。
【００１３】
さらに万一、軒樋の後側に回り込んで鼻隠し板本体の前面に降りかかった雨水が、該鼻隠し板本体の前面を伝って流下し、振れ止め片部の傾斜した上面に沿って前下方へとスムーズに排水除去され、同鼻隠し板本体と軒樋の後壁部との間には雨水が滞留することはなく、軒先の鼻板部分の腐蝕を確実に防止することができる。
【００２０】
本発明の請求項３記載の軒先樋支持構造は、上記請求項１又は２に記載の軒先樋支持構造において、鼻隠し板本体の下端に軒天井の前角部下面に当接係止する係合片部を後方へ一体に突出形成したことを特徴としている。
【００２１】
したがって、この場合は特に、鼻隠し板本体の下端に後方へ一体に突出形成された係合片部を軒天井の前角部下面に当接係止することにより、軒先の鼻板前面に同鼻隠し板本体が位置決めされて容易且つ正確に取着固定され、カバー片部は軒樋の底部及び同軒天井と略面一高さで確実に連続されて、軒先下面側の一体感を有する外観が確保される。
【００２２】
【発明の実施の形態】
図１〜３は、本発明の全ての請求項に対応する一実施形態を示し、該実施形態の軒先樋支持構造では、軒先の鼻板１前面に取着固定される鼻隠し板本体２の、上部前側に軒樋３を吊り下げ保持する樋支持具４が係合位置決めされて取着固定される取付レール部５を長手方向にわたり一体に形成し、同鼻隠し板本体２の下端に軒天井６と略面一高さで連続するカバー片部７を前方へ一体に突出形成し、該カバー片部７の上側で前記軒樋３の後壁部８に当接する振れ止め片部９を同鼻隠し板本体２に前方へ一体に突出形成している。
【００２３】
そして、鼻隠し板本体２を鼻板１前面に取着固定して、前記樋支持具４に吊り下げ保持される軒樋３の底部１０と前記鼻隠し板本体２の下端に突出形成したカバー片部７とが略面一高さで連続するようになしている。又、この場合、取付レール部５を断面略Ｌ型の上側片１１と下側片１２とが向き合う区画された溝状に形成して、該取付レール部５に樋支持具４の後端取着部２６が長手方向スライド自在に係止されるようになしている。更に、振れ止め片部９の上面を前下方へ傾斜させて形成し、カバー片部７の下面に水切り凸条１３を突出形成し、鼻隠し板本体２の下端に軒天井６の前角部下面に当接係止する係合片部１４を後方へ一体に突出形成してもいる。
【００２４】
鼻板１及び軒天井６を備えた軒先の上には、野地板１５、屋根下地シート１６、屋根板材１７が、下からこの順で積層設置されている。屋根先部分において、野地板１５と屋根下地シート１６との間には水切り部材１８が介在設置されており、該水切り部材１８の先端側は屋根先より前方へ突出し、下方へ折曲傾斜して軒樋３の上方開口に臨んでいる。
【００２５】
軒樋３は合成樹脂層２３内に薄肉金属板２４が埋設されてなり、同合成樹脂層２３内に薄肉金属板２４をインサートし一体に押出成形した板状物を折曲加工して形成されたものである。又、軒樋３は前壁部１９と底部１０と後壁部８とで角型状に形成され、該前壁部１９が斜め前方へ傾倒していて、同前壁部１９と底部１０との角部分には内方へ屈曲した段部２０が形成されている。そして、軒樋３の前壁部１９及び後壁部８の上端部分には、各々中空形状の耳部２１が一体に形成されている。なお、軒樋３の底部１０は、上記カバー片部７と略面一高さで連続するので、できるだけ平面状であることが望ましい。
【００２６】
樋支持具４は合成樹脂でなり、該樋支持具４の後端に一体に形成された板状の後端取着部２６が、鼻隠し板本体２の上部前側に一体に形成された溝状の取付レール部５に、水平長手方向スライド自在に係止されることで、該鼻隠し板本体２に同樋支持具４は取着固定されている。この場合、取付レール部５に係止された後端取着部２６を、釘、ネジ等の固着具で別途に固定しても良い。
【００２７】
そして、軒樋３の前後の耳部２１を係止する保持部２２が樋支持具４の前後に配設されており、該両保持部２２に両耳部２１を各々係止させることで、同樋支持具４に軒樋３は吊り下げ保持されている。この場合、樋支持具４の両保持部２２はいずれも、軒樋３の両耳部２１を内側から係止保持している。なお、軒樋３及び樋支持具４の形状や材質は別段限定されるものでないが、両者の相互構成としては、同樋支持具４が軒樋３を上側から吊り下げ保持する構成は必要であり、すなわち、同樋支持具４が軒樋３の下方から見え難い点は重要である。
【００２８】
鼻隠し板本体２は金属、合成樹脂等で全体が一体に押出成形されたもので、上記の如く、その上部前側に取付レール部５となる上側片１１及び下側片１２が突出形成され、その下端に前方へ突出したカバー片部７と後方へ突出した係合片部１４とが形成され、該カバー片部７の上側に間隔をあけて同鼻隠し板本体２の前面には振れ止め片部９が突出形成されている。振れ止め片部９の前端縁には下方へ折曲した凸片２５が垂下延設されており、該凸片２５の前面に軒樋３の後壁部８は安定状態で当接する。
【００２９】
この場合、軒樋３の後壁部８が振れ止め片部９前端の凸片２５に当接される状態で、同軒樋３の底部１０後端部分はカバー片部７の前端部分上に位置しており、すなわち、該カバー片部７が同振れ止め片部９よりも前方へ長く突出形成されていることで、同軒樋３の底部１０後端部分はがたつき動かないように安定状態で保持され納められる。又、カバー片部７はその後基部側程厚肉に形成されて、該カバー片部７の上面も前下方へ傾斜しており、同カバー片部７の前端縁下面に断面略三角形状で先鋭な水切り凸条１３が垂下突設されている。
【００３０】
ここで、該実施形態の軒先樋支持構造における施工手順を説明する。まず、鼻板１の前面に鼻隠し板本体２を取着固定するのであるが、その際、図３に示す如く、同鼻隠し板本体２にはその上部に小円孔２７、下部に上下方向の長孔２８が穿設されており、容易に高さ位置調整される。すなわち、長孔２８に挿通されるビスで鼻隠し板本体２を仮止めし、該仮止め状態で同鼻隠し板本体２を上下摺動させてその高さ位置を調整し、その後、同ビスと小円孔２７に挿通されるビスとで本固定することができる。次に、取着固定された前記の鼻隠し板本体２の取付レール部５に、複数の樋支持具４を各後端取着部２６をスライド係止させ所定の間隔にして配置固定する。そして最後に、配置固定された各樋支持具４間に軒樋３を、前後の耳部２１を各保持部２２に係止させて架設する。
【００３１】
したがって、該実施形態の軒先樋支持構造においては、鼻隠し板本体２の下端に前方へ突出形成されたカバー片部７によって、鼻板１と軒樋３との間の隙間が樋支持具４と共に下方から見えないように塞がれて覆い隠され、軒先の下方から見た納まり外観は良好なものとなる。しかも、鼻隠し板本体２の上部前側に取付レール部５が長手方向にわたり一体に形成されており、該取付レール部５にはその適宜位置に樋支持具４を係合により位置決めさせて取着固定することができるため、該樋支持具４に吊り下げ保持される軒樋３の高さは前記カバー片部７と所定の相互位置関係が確保されて容易且つ正確に決定される。
【００３２】
それ故、樋支持具４に吊り下げ保持される軒樋３の底部１０と鼻隠し板本体２のカバー片部７とが略面一高さで連続するように施工する際に、その取付作業は手間を要さず簡単で精度の良いものとなる。そして、カバー片部７がその前後の軒樋３の底部１０及び軒天井６と略面一高さで連続するようになって、軒先下面側の外観は段差のない一体感を有するものとなる。
【００３３】
しかも、カバー片部７の上側で鼻隠し板本体２に前方へ一体に突出形成された振れ止め片部９前端の凸片２５が軒樋３の後壁部８に当接することで、風や雨等の外力による同軒樋３の振れ動きや外れは確実に防止され、該軒樋３が安定状態で保持されて、その底部１０と鼻隠し板本体２のカバー片部７及び軒天井６とが略面一状となった前記段差のない一体感を有する良好な納まり外観に支障を来すことはない。
【００３４】
又、該実施形態の軒先樋支持構造においては、取付レール部５に樋支持具４の後端取着部２６が長手方向スライド自在に係止されるため、該樋支持具４をスライド移動させることによってその水平方向の取付位置調整は容易に行われる。しかも、後端取着部２６が取付レール部５に係止された樋支持具４は、鼻隠し板本体２に対して確実に取着固定され、同樋支持具４に吊り下げ保持される軒樋３が所定の高さ位置で正確に支持される。
【００３５】
又、該実施形態の軒先樋支持構造においては、万一、雨水が軒樋３の後側に回り込んで鼻隠し板本体２の前面に降りかかっても、該雨水は同鼻隠し板本体２の前面を伝って流下し、振れ止め片部９の傾斜した上面に沿って前下方へとスムーズに排水除去され、同鼻隠し板本体２と軒樋３の後壁部８との間に雨水が滞留することはなく、軒先の鼻板部分の腐蝕を確実に防止することができる。又、その際、雨水は振れ止め片部９の上面からその前端の凸片２５へと伝わり、該凸片２５と軒樋３の後壁部８との隙間から下方へ流下し、カバー片部７の傾斜した上面に沿って前方へ流れ、該カバー片部７の前端下面に突出形成された水切り凸条１３からスムーズに水切り落下される。
【００３６】
又、該実施形態の軒先樋支持構造においては、軒樋３の前壁部１９、底部１０の外面からカバー片部７の下面へと伝わる雨水が、該カバー片部７の前端下面に突出形成された水切り凸条１３で直ちに水切り落下され、軒天井６へと同雨水は伝わり難くなって、軒先の軒天井部分の腐蝕を確実に防止することができる。更に、鼻隠し板本体２の下端に後方へ一体に突出形成された係合片部１４を軒天井６の前角部下面に当接係止することによって、軒先の鼻板１前面に同鼻隠し板本体２が上下方向で位置決めされて容易且つ正確に取着固定され、それ故、カバー片部７は軒樋３の底部１０及び同軒天井６と略面一高さで確実に連続されて、軒先下面側の一体感を有する前記良好な納まり外観が確保される。
【００３７】
図４は、本発明の全ての請求項に対応する別の実施形態を示し、該実施形態の軒先樋支持構造では、カバー片部７の前端縁から少し離れた位置の下面に水切り凸条13が突出形成され、又、振れ止め片部９及び同カバー片部７の各上面の傾斜は、上記図１〜３に示した実施形態におけると比較して、少し緩めの傾斜に形成されている。なお、それ以外は、上記図１〜３に示した実施形態と同様に構成されており、同上記実施形態におけると同様の作用効果が奏される。
【００３８】
図５、６は、本発明の全ての請求項に対応する更に別の実施形態を示し、該実施形態の軒先樋支持構造では、略水平に突出形成された振れ止め片部９の前端縁に下方へ折曲した凸片25が垂下延設され、該凸片25の下端はカバー片部７の前端に連続して結合し、同振れ止め片部９がカバー片部７と一体になり中空形状として突出形成されている。そして、軒樋３の底部10後端部分には内方へ屈曲した段状凹所29が形成されており、前記中空形状に形成された振れ止め片部９は同段状凹所29内に収容係合されて納まる。
【００３９】
したがって、該実施形態の軒先樋支持構造においては、中空形状に形成された振れ止め片部９が弾性を有するものとなり、該振れ止め片部９には軒樋３の後壁部８が弾性的に当接されて、該軒樋３に加わる外力は緩衝される。しかも、前記の如く、振れ止め片部９が段状凹所２９内に収容係合されることもあって、軒樋３はその破損が防止されると共に、上下にがたつき動かないようより安定した状態で保持される。なお、それ以外は、上記図１〜３に示した実施形態と同様に構成されており、請求項３に係る以外の作用効果が同上記実施形態におけると同様に奏される。
【００４０】
図７は、本発明の請求項１〜３全てに対応する更に別の実施形態を示し、該実施形態の軒先樋支持構造は、上記図５、６に示した実施形態のものにおいて、振れ止め片部９の上面を前下方へ傾斜させて形成したものであり、それ以外の構成は同上記実施形態と全く同様である。したがって、この場合、軒樋３の後側に回り込んで鼻隠し板本体２の前面に降りかかった雨水が、該鼻隠し板本体２の前面を伝って流下し、振れ止め片部９の傾斜した上面に沿って前下方へとスムーズに排水除去され、同鼻隠し板本体２と軒樋３の後壁部８との間には雨水が滞留することはなく、軒先の鼻板部分の腐蝕を確実に防止することができる。なお、それ以外の作用効果については、上記図５、６に示した実施形態におけると同様に奏される。
【００４１】
図８は、本発明の全ての請求項に対応する更に別の実施形態を示し、該実施形態の軒先樋支持構造では、振れ止め片部９の前端縁に下方へ突出した凸片25と上方へ突出した起立片30とが延設されて、同振れ止め片部９は断面略Ｔ型に形成されている。それ故、振れ止め片部９前端の凸片25及び起立片30の前面には、軒樋３の後壁部８がより安定した状態で当接する。なお、それ以外は、上記図１〜３に示した実施形態と同様に構成されており、同様の作用効果が同上記実施形態におけると同様に奏される。
【００４２】
図９は、本発明の請求項１及び２に対応する更に別の実施形態を示し、該実施形態の軒先樋支持構造では、軒樋３が合成樹脂にて一体に押出成形されたものであり、又、鼻隠し板本体２の前面には同軒樋３の後壁部８上下中程部位に当接する縦長中空形状の振れ止め片部９が、カバー片部７の上側に間隔をあけて一体に突出形成されている。したがって、この場合、中空形状に形成された振れ止め片部９が弾性を有するものとなり、該振れ止め片部９の前平面には軒樋３の後壁部８が弾性的に当接されて、該軒樋３に加わる外力は緩衝され、その破損が防止されると共に同軒樋３はより安定した状態で当接保持される。なお、それ以外は、上記図１〜３に示した実施形態と同様に構成されており、請求項２に係る以外の作用効果が同上記実施形態におけると同様に奏される。
【００４３】
【発明の効果】
上述の如く、本発明の請求項１記載の軒先樋支持構造においては、樋支持具が鼻隠し板本体の取付レール部に位置決めされて取着固定され、該樋支持具に吊り下げ保持される軒樋の高さはカバー片部との相互位置関係で容易且つ正確に決定されて、軒先下面側の外観を一体感を有するよう良好に納めることができる。しかも、振れ止め片部が軒樋の後壁部に当接することにより、該軒樋は安定状態で保持されて、前記良好な納まり外観に支障を来さない。
【００４４】
又、樋支持具をスライドさせてその水平方向の取付位置調整を容易に行うことができ、しかも、同樋支持具は鼻隠し板本体に対して確実に取着固定される。
【００４５】
又、軒樋の後側に回り込んだ雨水が該軒樋と鼻隠し板本体との間には滞留せず、軒先の鼻板部分の腐蝕を確実に防止することができる。
【００４６】
又、本発明の請求項２記載の軒先樋支持構造においては、特に、軒樋からカバー片部へと伝わる雨水が水切り凸条で落下されて軒天井へは伝わり難く、軒先の軒天井部分の腐蝕を確実に防止することができる。
【００４８】
又、本発明の請求項３記載の軒先樋支持構造においては、特に、係合片部を軒天井の前角部下面に当接係止することにより、鼻隠し板本体が位置決めされて容易且つ正確に取着固定され、軒先下面側の一体感を有する外観は確保される。
【図面の簡単な説明】
【図１】本発明の一実施形態である軒先樋支持構造を示す断面図。
【図２】同軒先樋支持構造を示す要部断面図。
【図３】同軒先樋支持構造における鼻隠し板本体を示す正面図。
【図４】別の実施形態である軒先樋支持構造を示す要部断面図。
【図５】更に別の実施形態である軒先樋支持構造を示す断面図。
【図６】同軒先樋支持構造を示す要部断面図。
【図７】更に別の実施形態である軒先樋支持構造を示す要部断面図。
【図８】更に別の実施形態である軒先樋支持構造を示す断面図。
【図９】更に別の実施形態である軒先樋支持構造を示す要部断面図。
【図１０】従来例である軒先樋支持構造を示す断面図。
【符号の説明】
１  鼻板
２  鼻隠し板本体
３  軒樋
４  樋支持具
５  取付レール部
６  軒天井
７  カバー片部
８  後壁部
９  振れ止め片部
１０  底部
１１  上側片
１２  下側片
１３  水切り凸条
１４  係合片部
２６  後端取着部
【図１】
0003624828.tif 000002
【図２】
0003624828.tif 000003
【図３】
0003624828.tif 000004
【図４】
0003624828.tif 000005
【図５】
0003624828.tif 000006
【図６】
0003624828.tif 000007
【図７】
0003624828.tif 000008
【図８】
0003624828.tif 000009
【図９】
0003624828.tif 000010
【図１０】
0003624828.tif 000011